【手続補正書】
【提出日】平成17年9月9日(2005.9.9)
【手続補正１】
【補正対象書類名】明細書
【補正対象項目名】発明の名称
【補正方法】変更
【補正の内容】
【発明の名称】ＩＣタグ、無線ＩＣタグ、受信装置及び読み出し方法
【手続補正２】
【補正対象書類名】明細書
【補正対象項目名】特許請求の範囲
【補正方法】変更
【補正の内容】
【特許請求の範囲】
【請求項１】
第１情報を受信装置に送信するＩＣタグであって、
前記第１情報を記憶する第１メモリと、
第２情報を記憶する第２メモリと、
カウント値が前記第１メモリのビットアドレスを示すカウンタとを有し、
前記ＩＣタグは、前記受信装置から受信するクロック信号により前記カウンタのカウント値のカウントアップ、又は、カウントダウンを行うものであって、
前記ＩＣタグは、前記第２メモリの情報を前記カウンタの初期値として設定し、前記カウンタの前記カウント値が特定のコードに達した後、前記カウント値が示す前記第１メモリのビットアドレスに格納された前記第１情報を順次、前記受信装置に送信するものであることを特徴とするＩＣタグ。
【請求項２】
請求項１に記載のＩＣタグであって、
前記第２メモリは、複数であって、
前記ＩＣタグは、いずれか１つの前記第２メモリの第２情報を、前記カウンタの初期値として設定することを特徴とするＩＣタグ。
【請求項３】
請求項２に記載のＩＣタグであって、
モード切り替え部を有し、
前記ＩＣタグは、前記モード切り替え部によりいずれか１つの前記第２メモリの第２情報を選択し、前記カウンタの初期値として設定することを特徴とするＩＣタグ。
【請求項４】
請求項３に記載のＩＣタグであって、
前記モード切り替え部は、フリップフロップであって、
前記ＩＣタグは、前記フリップフロップの値によりいずれか１つの前記第２メモリの第２情報を選択し、前記カウンタの初期値として設定することを特徴とするＩＣタグ。
【請求項５】
請求項１から４のいずれかに記載のＩＣタグであって、
前記特定のコードは、零であることを特徴とするＩＣタグ。
【請求項６】
請求項１から５のいずれかに記載のＩＣタグであって、
前記カウンタと前記第２メモリとは、同じビット数を持つことを特徴とするＩＣタグ。
【請求項７】
請求項１から６のいずれかに記載のＩＣタグであって、
前記第１情報は、少なくとも認識番号と、前記認識番号のエラーを検出するエラー検出コードとからなることを特徴とするＩＣタグ。
【請求項８】
第１情報を記憶する第１メモリと、第２情報を記憶する第２メモリと、カウント値が前記第１メモリのビットアドレスを示すカウンタとを有するＩＣタグから受信装置へ前記第１情報を読み出す読み出し方法であって、
前記受信装置から前記ＩＣタグへ、クロック信号を送信させ、
前記ＩＣタグに、前記第２メモリの情報を前記カウンタの初期値として設定させ、前記クロック信号により前記カウンタのカウント値のカウントアップ、又は、カウントダウンを行わせ、前記カウンタの前記カウント値が特定のコードに達した後、前記カウント値が示す前記第１メモリのビットアドレスに格納された前記第１情報を順次、前記受信装置に送信させることを特徴とする読み出し方法。
【請求項９】
請求項８に記載の読み出し方法であって、
前記ＩＣタグの前記第２メモリは、複数であって、
前記受信装置から前記ＩＣタグへモード切り替え信号を送信させ、
前記ＩＣタグに、前記モード切り替え信号によりいずれか１つの前記第２メモリの第２情報を選択させ、前記カウンタの初期値として設定することを特徴とする読み出し方法。
【請求項１０】
無線ＩＣタグであって、
カウンタと、
所定の情報を記憶するメモリとを有し、
前記カウンタは、前記情報を初期値として設定し、受信装置からの電磁波に重畳されたクロックのカウントアップ又はカウントダウンを行うものであって、
前記カウンタのカウント値が所定値となった後、前記メモリは、前記情報の読み出しを開始するものであって、
前記無線ＩＣタグは、読み出されたビット値を前記受信装置へ順次送出するものであることを特徴とする無線ＩＣタグ。
【請求項１１】
無線ＩＣタグであって、
カウンタと、
所定の情報を記憶するメモリとを有し、
前記カウンタは、前記情報を初期値として設定し、受信装置からの電磁波に重畳されたクロックのカウントアップ又はカウントダウンを行うものであって、
前記カウンタのカウント値が所定値となった後、前記メモリは、前記カウント値により示されるビットアドレスから前記情報のビット値の読み出しを開始するものであって、
前記無線ＩＣタグは、読み出された前記ビット値を前記受信装置へ順次送出するものであることを特徴とする無線ＩＣタグ。
【請求項１２】
無線ＩＣタグであって、
カウンタと、
第１情報を記憶する第１メモリと、
第２情報を記憶する第２メモリとを有し、
前記カウンタは、前記第１情報を初期値として設定し、受信装置からの電磁波に重畳されたクロックのカウントアップ又はカウントダウンを行うものであって、
前記カウンタのカウント値が所定値となった場合に、前記第２メモリは、前記カウント値により示されるビットアドレスに格納される前記第２情報のビット値を順次読み出すものであって、
前記無線ＩＣタグは、読み出された前記ビット値を前記受信装置へ順次送出するものであることを特徴とする無線ＩＣタグ。
【請求項１３】
請求項１２に記載の無線ＩＣタグにおいて、
第３情報を記憶する第３メモリを有し、
前記無線ＩＣタグが、前記受信装置からの電磁波に重畳された所定のモード切り替え信号を受信した場合に、前記カウンタは、前記第３情報を初期値として設定し、前記クロックのカウントアップ又はカウントダウンを行うものであることを特徴とする無線ＩＣタグ。
【請求項１４】
アンテナと、
カウンタと、
第１情報を記憶する第１メモリと、
第２情報を記憶する第２メモリとを有し、
前記アンテナは、受信装置から所定のクロックにより変調された搬送波を受信するものであって、
前記カウンタは、前記第１情報を初期値として設定し、前記クロックのカウントアップ又はカウントダウンを行うものであって、
前記カウンタのカウント値が所定値となった場合に、前記第２メモリは、前記カウント値により示される前記第２メモリのビットアドレスに格納されるビット値を順次読み出すものであって、
前記アンテナは、読み出された前記ビット値を前記受信装置へ順次送出することを特徴とする無線ＩＣタグ。
【請求項１５】
無線ＩＣタグであって、
カウンタと、
第１情報を記憶する第１メモリ領域と、第２情報を記憶する第２メモリ領域を含むメモリを有し、
前記カウンタは、前記第１メモリ情報を初期値として設定し、受信装置からの電磁波に重畳されたクロックのカウントアップ又はカウントダウンを行うものであって、
前記カウンタのカウント値が所定値となった後、前記メモリは、前記カウント値により示される前記第２メモリ領域のビットアドレスに格納される前記第２情報のビット値を読み出すものであって、
前記無線ＩＣタグは、読み出された前記ビット値を前記受信装置へ送信するものであることを特徴とする無線ＩＣタグ。
【請求項１６】
請求項１２から１４のいずれかに記載の無線ＩＣタグにおいて、
前記カウンタと、前記第１メモリと、前記第２メモリは、いずれも同じビット数を持つことを特徴とする無線ＩＣタグ。
【請求項１７】
請求項１２から１４、１６のいずれかに記載の無線ＩＣタグにおいて、
前記第１メモリ及び第２メモリはＲＯＭであることを特徴とする無線ＩＣタグ。
【請求項１８】
請求項１３から１７のいずれかに記載の無線ＩＣタグにおいて、
前記第２情報は、識別番号を含むことを特徴とする無線ＩＣタグ。
【請求項１９】
請求項１３から１８のいずれかに記載の無線ＩＣタグにおいて、
前記第１情報は、前記無線ＩＣタグの製造時にランダムに設定されたものであることを特徴とする無線ＩＣタグ。
【請求項２０】
カウンタと所定の情報を記憶するメモリとを有する無線ＩＣタグから前記情報を読み出す受信装置であって、
アンテナからクロックを重畳させた電磁波を前記無線ＩＣタグへ送出し、
前記無線ＩＣタグ内のカウンタに、前記無線ＩＣタグ内のメモリに記憶された前記情報を初期値として設定させ、
前記カウンタに、前記クロックのカウントアップ又はカウントダウンを行わせ、
前記カウンタのカウント値が所定値となった後、前記メモリに、前記カウント値に示されるビットアドレスから前記情報の読み出しを開始させ、
前記無線ＩＣタグに、読み出されたビット値を前記受信装置へ順次送出させ、
前記ビット値を順次受信することを特徴とする受信装置。
【請求項２１】
カウンタと、第１情報を記憶するメモリと、第２情報を記憶するメモリとを有する無線ＩＣタグから前記第２情報を読み出す受信装置であって、
アンテナからクロックを重畳させた電磁波を前記無線ＩＣタグへ送出させ、
前記カウンタに、前記第１情報を初期値として設定させ、
前記カウンタに、前記クロックのカウントアップ又はカウントダウンを行わせ、
前記カウンタのカウント値が所定値となった場合に、前記カウント値により示される前記第２情報を記憶するメモリのビットアドレスに格納される前記第２情報のビット値を順次読み出させ、
前記無線ＩＣタグに、前記読み出された前記ビット値を前記受信装置へ送出させ、
前記ビット値を順次受信することを特徴とする受信装置。
【請求項２２】
請求項２１記載の受信装置において、
前記無線ＩＣタグは第３情報を記憶する第３メモリを有するものであって、
前記アンテナから所定のモード切り替え信号を重畳させた電磁波を前記無線ＩＣタグへ送出し、前記カウンタに前記第３情報を初期値として設定させ、
前記カウンタに、前記クロックのカウントアップ又はカウントダウンを行わせることを特徴とする受信装置。
【請求項２３】
カウンタと所定の情報を記憶するメモリとを有する無線ＩＣタグから前記情報を受信装置へ読み出す読み出し方法であって、
前記受信装置からクロックを重畳させた電磁波を無線ＩＣタグへ送出させ、
前記無線ＩＣタグ内のカウンタに、前記無線ＩＣタグ内のメモリに記憶された所定の情報を初期値として設定させ、
前記カウンタに、前記クロックのカウントアップ又はカウントダウンを行わせ、
前記カウンタのカウント値が所定値となった後、前記メモリに、前記カウント値に示されるビットアドレスから前記情報の読み出しを開始させ、
前記無線ＩＣタグに、読み出された前記ビット値を前記受信装置へ順次送出させることを特徴とする読み出し方法。
【請求項２４】
カウンタと、第１情報を記憶するメモリと、第２情報を記憶するメモリとを有する無線ＩＣタグから受信装置へ前記第２情報を読み出す読み出し方法であって、
前記受信装置からクロックを重畳させた電磁波を無線ＩＣタグへ送出し、
前記カウンタに、前記第１情報を初期値として設定させ、
前記カウンタに、前記クロックのカウントアップ又はカウントダウンを行わせ、
前記カウンタのカウント値が所定値となった場合に、前記カウント値により示される前記第２情報を記憶するメモリのビットアドレスに格納される前記第２情報のビット値を順次読み出させ、
前記無線ＩＣタグに、前記読み出された前記ビット値を前記受信装置へ順次送出させることを特徴とする読み出し方法。
【請求項２５】
請求項２４記載の読み出し方法において、
前記無線ＩＣタグは第３情報を記憶する第３メモリを有するものであって、
前記受信装置から所定のモード切り替え信号を重畳させた電磁波を前記無線ＩＣタグへ送出させ、
前記無線ＩＣタグが前記モード切り替え信号を受信した場合に、前記カウンタに、前記第３情報を初期値として設定させ、
前記カウンタに、前記クロックのカウントアップ又はカウントダウンを行わせることを特徴とする読み出し方法。